(57)【要約】【課題】本発明は、単一キーボタンで組合キーボタンの機能を実現するキーボードを提供する。【解決手段】本発明に係るキーボードは、複数の第一キーボタンと、複数の第二キーボタンと、制御回路と、複数の電気スイッチを有するスイッチ回路と、を備え、各々の前記第二キーボタンは、前記制御回路を介して前記スイッチ回路の中の少なくとも２つの電気スイッチの制御端に接続され、各々の電気スイッチの一端は１つの前記第一キーボタンに接続され、前記第二キーボタンを押すと、前記制御回路は対応する前記電気スイッチを導通させて、前記電気スイッチに接続される前記第一キーボタンをスタートオンする。【選択図】図１
2011248868.tif 000002
【特許請求の範囲】
【請求項１】
複数の第一キーボタンと、複数の第二キーボタンと、制御回路と、複数の電気スイッチを有するスイッチ回路と、を備えるキーボードであって、
各々の前記第二キーボタンは、前記制御回路を介して前記スイッチ回路の中の少なくとも２つの電気スイッチの制御端に接続され、各々の電気スイッチの一端は１つの前記第一キーボタンに接続され、前記第二キーボタンを押すと、前記制御回路は対応する前記電気スイッチを導通させて、前記電気スイッチに接続される前記第一キーボタンをスタートオンすることを特徴とするキーボード。
【請求項２】
前記第二キーボタンは、押圧式スイッチであることを特徴とする請求項１に記載のキーボード。
【請求項３】
前記キーボードは、３つの前記第二キーボタンを備え、
前記制御回路は、マイクロコントローラ、水晶発振器、３つのインバーター、第一〜第三の３つのレジスターを備え、
前記水晶発振器は、前記マイクロコントローラの第一クロックピンと第二クロックピンとの間に直列連結され、
前記マイクロコントローラの電圧ピンは、電圧源に接続され、
前記マイクロコントローラの第一入力ピンは、第一の前記第二キーボタンの第一電気端子に接続され、
前記マイクロコントローラの第二入力ピンは、第二の前記第二キーボタンの第一電気端子に接続され、
前記マイクロコントローラの第三入力ピンは、第三の前記第二キーボタンの第一電気端子に接続され、
第一〜第三の前記第二キーボタンの第二電気端子は、全て接地し、
前記第一レジスターは、前記マイクロコントローラの第一入力ピンと電源との間に直列連結され、
前記第二レジスターは、前記マイクロコントローラの第二入力ピンと電源との間に直列連結され、
前記第三レジスターは、前記マイクロコントローラの第三入力ピンと電源との間に直列連結され、
前記マイクロコントローラの第一出力ピンは、前記第一インバーターの入力端に接続され、
前記マイクロコントローラの第二出力ピンは、前記第二インバーターの入力端に接続され、
前記マイクロコントローラの第三出力ピンは、前記第三インバーターの入力端に接続され、
３つの前記インバーターの出力端は、全て前記スイッチ回路に接続されることを特徴とする請求項２に記載のキーボード。
【請求項４】
前記制御回路は、３つのコンデンサーをさらに備え、
前記第一コンデンサーは、前記マイクロコントローラの第一クロックピンとグランドとの間に直列連結され、
前記第二コンデンサーは、前記マイクロコントローラの第二クロックピンとグランドとの間に直列連結され、
前記第三コンデンサーは、前記マイクロコントローラの電圧ピンとグランドとの間に直列連結されることを特徴とする請求項３に記載のキーボード。
【請求項５】
前記スイッチ回路は、７つの電気スイッチ及び第四〜第十七の１４個のレジスターを備え、
前記第一電気スイッチの第一端は、前記第四レジスターを介して前記第一インバーターの出力端に接続され、前記第一電気スイッチの第二端は、前記キーボードのＡｌｔキーボタンの制御端に接続され且つ前記第六レジスターを介して電源に接続され、
前記第二電気スイッチの第一端は、前記第五レジスターを介して前記第一インバーターの出力端に接続され、前記第二電気スイッチの第二端は、前記キーボードのＴａｂキーボタンの制御端に接続され且つ前記第七レジスターを介して電源に接続され、
前記第三電気スイッチの第一端は、前記第八レジスターを介して前記第二インバーターの出力端に接続され、前記第三電気スイッチの第二端は、前記キーボードのＤｅｌキーボタンの制御端に接続され且つ前記第十一レジスターを介して電源に接続され、
前記第四電気スイッチの第一端は、前記第九レジスターを介して前記第二インバーターの出力端に接続され、前記第四電気スイッチの第二端は、前記キーボードのＡｌｔキーボタンの制御端に接続され且つ前記第十二レジスターを介して電源に接続され、
前記第五電気スイッチの第一端は、前記第十レジスターを介して前記第二インバーターの出力端に接続され、前記第五電気スイッチの第二端は、前記キーボードのＣｔｒｌキーボタンの制御端に接続され且つ前記第十三レジスターを介して電源に接続され、
前記第六電気スイッチの第一端は、前記第十四レジスターを介して前記第三インバーターの出力端に接続され、前記第六電気スイッチの第二端は、前記キーボードのＳｈｉｆｔキーボタンの制御端に接続され且つ前記第十六レジスターを介して電源に接続され、
前記第七電気スイッチの第一端は、前記第十五レジスターを介して前記第三インバーターの出力端に接続され、前記第七電気スイッチの第二端は、前記キーボードのＣｔｒｌキーボタンの制御端に接続され且つ前記第十七レジスターを介して電源に接続され、
７つの前記電気スイッチの第三端は、全て接地し、
第一の前記第二キーボタンを押すと、前記第一電気スイッチ及び前記第二電気スイッチが導通されて、Ａｌｔ＋Ｔａｂの組合キーボタンの機能を実現し、
第二の前記第二キーボタンを押すと、前記第三電気スイッチ、前記第四電気スイッチ及び前記第五スイッチが導通されて、Ｃｔｒｌ＋Ａｌｔ＋Ｄｅｌの組合キーボタンの機能を実現し、
第三の前記第二キーボタンを押すと、前記第六電気スイッチ及び前記第七スイッチが導通されて、Ｃｔｒｌ＋Ｓｈｉｆｔの組合キーボタンの機能を実現することを特徴とする請求項４に記載のキーボード。
【請求項６】
７つの前記電気スイッチは、全てＮＰＮ型トランジスタであり、各々前記電気スイッチの第一端、第二端及び第三端は、トランジスタのベース、コレクタ及びエミッタであることを特徴とする請求項５に記載のキーボード。
【発明の詳細な説明】
【技術分野】
【０００１】
本発明は、キーボードに関するものであり、特に単一キーボタンで組合キーボタンの機能を実現するキーボードに関するものである。
【背景技術】
【０００２】
ショートカットキー又はホットキーとは、画面上のメニューからマウスで選択して実行する命令や特定の文字列の入力などの利用頻度が高い連続したキー操作を、簡単なキー操作で実行する機能、そのために割り当てられたキー入力の組み合わせであり、どの操作にどのキー操作を割り当てるかはソフトウェアによって異なる。例えば、ＣＴＲＬ＋Ｃのホットキーで指定範囲をコピーし、ＣＴＲＬ＋Ｖのホットキーでコピー内容を指定位置に貼り付ける。しかし、これらのホットキー操作は、ＣＴＲＬキーボタンを押したまま、Ｃキーボタン又はＶキーボタンを押さなければならなく、従って操作者は複数のキーボタンの位置を熟知し、且つ２つ以上のキーボタンを同時に押すことを必要として、キーボードの使用に不便をもたらす。
【発明の概要】
【発明が解決しようとする課題】
【０００３】
本発明の目的は、前記課題を解決し、単一キーボタンで組合キーボタンの機能を実現するキーボードを提供することである。
【課題を解決するための手段】
【０００４】
前記目的を達成するため、本発明に係るキーボードは、複数の第一キーボタンと、複数の第二キーボタンと、制御回路と、複数の電気スイッチを有するスイッチ回路と、を備え、各々の前記第二キーボタンは、前記制御回路を介して前記スイッチ回路の中の少なくとも２つの電気スイッチの制御端に接続され、各々の電気スイッチの一端は１つの前記第一キーボタンに接続され、前記第二キーボタンを押すと、前記制御回路は対応する前記電気スイッチを導通させて、前記電気スイッチに接続される前記第一キーボタンをスタートオンする。
【発明の効果】
【０００５】
本発明に係るキーボードにおいて、１つの第二キーボタンを押すだけで、組合キーボタンの機能を実現することができるので、前記キーボードを便利に使用することができる。
【図面の簡単な説明】
【０００６】
【図１】本発明の実施形態に係るキーボードの斜視図である。
【図２】図１に示すキーボードの制御回路図である。
【図３】図１に示すキーボードのスイッチ回路図である。
【発明を実施するための形態】
【０００７】
図１〜図３を参照すると、本発明の実施形態に係るキーボード１００は、ハウジング１０と、前記ハウジング１０の外部に設置される複数の第一キーボタン及び３つの第二キーボタンＫ１、Ｋ２、Ｋ３と、前記ハウジング１０の内部に設置される制御回路２０及びスイッチ回路３０と、を備える。３つの前記第二キーボタンＫ１、Ｋ２、Ｋ３は、前記キーボード１００のナンバーキーエリア４０と指示ランプエリア５０との間に位置し、且つ組合キーボタンの機能を実現するために用いられる。複数の前記第一キーボタンの設置及び配列順序は、普通のキーボードのキーボタンの設置及び配列順序と同じであるから、詳しく説明しない。
【０００８】
各々の前記第二キーボタンは、２つの電気端子１１、２２及び１つのキーキャップ３３を備える。３つの前記第二キーボタンＫ１、Ｋ２、Ｋ３及び前記スイッチ回路３０は、全て前記制御回路２０に接続される。いずれか１つの前記第二キーボタンを押すと、前記制御回路２０は、押された前記第二キーボタンの入力ピンに接続されて低レベル信号を受信し、且つ前記低レベル信号に基づいて前記スイッチ回路３０に高レベル信号を出力して、前記スイッチ回路３０の中の押された前記第二キーボタンに対応するスイッチを導通して、低レベル信号を出力し且つ対応する組合キーボタンをスタートオンして、１つの第二キーボタンを操作して対応する組合キーボタンの機能を実現する。他の実施形態において、前記第二キーボタンＫ１、Ｋ２、Ｋ３は他のタイプのスイッチを採用することができ、例えば押圧式スイッチである。
【０００９】
前記制御回路２０は、マイクロコントローラＵ１、水晶発振器Ｘ１、３つのコンデンサーＣ１〜Ｃ３、３つのインバーターＵ１１〜Ｕ１３、３つのレジスターＲ１〜Ｒ３を備える。前記マイクロコントローラＵ１のクロックピンＯＳＣ１は前記コンデンサーＣ１を介して接地し、前記マイクロコントローラＵ１のクロックピンＯＳＣ２は前記コンデンサーＣ２を介して接地し、前記水晶発振器Ｘ１は前記マイクロコントローラＵ１のクロックピンＯＳＣ１とクロックピンＯＳＣ２との間に直列連結され、前記マイクロコントローラＵ１の電圧ピンＶＰＰは電圧源ＶＣＣに接続され且つ前記コンデンサーＣ３を介して接地し、前記マイクロコントローラＵ１の入力ピンＲＢ１は前記第二キーボタンＫ１の電気端子１１に接続され、前記第二キーボタンＫ１の電気端子２２は接地し、前記マイクロコントローラＵ１の入力ピンＲＢ２は前記第二キーボタンＫ２の電気端子１１に接続され、前記第二キーボタンＫ２の電気端子２２は接地し、前記マイクロコントローラＵ１の入力ピンＲＢ３は前記第二キーボタンＫ３の電気端子１１に接続され、前記第二キーボタンＫ３の電気端子２２は接地する。前記レジスターＲ１は前記マイクロコントローラＵ１の入力ピンＲＢ１と電源ＶＣＣとの間に直列連結され、前記レジスターＲ２は前記マイクロコントローラＵ１の入力ピンＲＢ２と電源ＶＣＣとの間に直列連結され、前記レジスターＲ３は前記マイクロコントローラＵ１の入力ピンＲＢ３と電源ＶＣＣとの間に直列連結される。前記マイクロコントローラＵ１の入力ピンＲＢ５は前記インバーターＵ１１の入力端に接続され、前記マイクロコントローラＵ１の入力ピンＲＢ６は前記インバーターＵ１２の入力端に接続され、前記マイクロコントローラＵ１の入力ピンＲＢ７は前記インバーターＵ１３の入力端に接続され、３つの前記インバーターＵ１１〜Ｕ１３の出力端は、全て前記スイッチ回路３０に接続される。本実施形態において、前記マイクロコントローラＵ１の型番はＰＩＣ１６Ｃ５４/ＪＷ（１８）であり、３つの前記インバーターＵ１１〜Ｕ１３の型番は７４ＬＳ１４である。
【００１０】
前記スイッチ回路３０は、７つのトランジスタＱ１〜Ｑ７及び１４個のレジスターＲ４〜Ｒ１７を備える。前記トランジスタＱ１のベースは、前記レジスターＲ４を介して前記インバーターＵ１１の出力端に接続され、前記トランジスタＱ１のコレクタは、前記キーボード１００のＡｌｔキーボタンの制御端に接続され且つ前記レジスターＲ６を介して電源ＶＣＣに接続される。前記トランジスタＱ２のベースは、前記レジスターＲ５を介して前記インバーターＵ１１の出力端に接続され、前記トランジスタＱ２のコレクタは、前記キーボード１００のＴａｂキーボタンの制御端に接続され且つ前記レジスターＲ７を介して電源ＶＣＣに接続される。前記トランジスタＱ３のベースは、前記レジスターＲ８を介して前記インバーターＵ１２の出力端に接続され、前記トランジスタＱ３のコレクタは、前記キーボード１００のＤｅｌキーボタンの制御端に接続し且つ前記レジスターＲ１１を介して電源ＶＣＣに接続される。前記トランジスタＱ４のベースは、前記レジスターＲ９を介して前記インバーターＵ１２の出力端に接続され、前記トランジスタＱ４のコレクタは、前記キーボード１００のＡｌｔキーボタンの制御端に接続され且つ前記レジスターＲ１２を介して電源ＶＣＣに接続される。前記トランジスタＱ５のベースは、前記レジスターＲ１０を介して前記インバーターＵ１２の出力端に接続され、前記トランジスタＱ５のコレクタは、前記キーボード１００のＣｔｒｌキーボタンの制御端に接続され且つ前記レジスターＲ１３を介して電源ＶＣＣに接続される。前記トランジスタＱ６のベースは、前記レジスターＲ１４を介して前記インバーターＵ１３の出力端に接続され、前記トランジスタＱ６のコレクタは、前記キーボード１００のＳｈｉｆｔキーボタンの制御端に接続され且つ前記レジスターＲ１６を介して電源ＶＣＣに接続される。前記トランジスタＱ７のベースは、前記レジスターＲ１５を介して前記インバーターＵ１３の出力端に接続され、前記トランジスタＱ７のコレクタは、前記キーボード１００のＣｔｒｌキーボタンの制御端に接続され且つ前記レジスターＲ１７を介して電源ＶＣＣに接続される。７つの前記トランジスタＱ１〜Ｑ７のエミッタは、全て接地する。本実施形態において、７つの前記トランジスタＱ１〜Ｑ７は、電気スイッチとしてＮＰＮ型トランジスタであるが、他の実施形態において、ＮＭＯＳトランジスタであることもできる。他の実施形態において、前記第二キーボタン及び前記トランジスタの数量は、実際の要求によって決めることができ、他の組合キーボタンの機能を実現するために、要求によって前記トランジスタＱ１〜Ｑ７のコレクタを対応するキーボタンに接続すればよい。
【００１１】
Ａｌｔ＋Ｔａｂの組合キーボタンの機能を実現しようとする場合、前記第二キーボタンＫ１のキーキャップ３３を押すと、前記キーキャップ３３は前記第二キーボタンＫ２の２つの電気端子１１及び２２を接続し、前記マイクロコントローラＵ１の入力ピンＲＢ１は低レベル信号を受信し、前記マイクロコントローラＵ１の出力ピンＲＢ５は前記インバーターＵ１１の入力端に低レベル信号を出力し、前記インバーターＵ１１の出力端は前記トランジスタＱ１、Ｑ２のベースに高レベル信号を出力して、前記トランジスタＱ１、Ｑ２は導通され、前記トランジスタＱ１のコレクタは低レベル信号を出力して、前記キーボード１００のＡｌｔキーボタンをスタートオンし、前記トランジスタＱ２のコレクタは低レベル信号を出力して、前記キーボード１００のＴａｂキーボタンをスタートオンし、この時、前記トランジスタＱ１、Ｑ２のコレクタは同時に低レベル信号を出力して、前記キーボード１００のＡｌｔキーボタン及びＴａｂキーボタンをスタートオンするので、前記キーボード１００のＡｌｔキーボタン及びＴａｂキーボタンを同時に押すことと同じであり、即ち前記第二キーボタンＫ１のキーキャップ３３を押すだけで、Ａｌｔ＋Ｔａｂの組合キーボタンの機能を実現することができる。同じ原理に基づいて、前記第二キーボタンＫ２のキーキャップ３３を押すだけで、Ｃｔｒｌ＋Ａｌｔ＋Ｄｅｌの組合キーボタンの機能を実現することができ、前記第二キーボタンＫ３のキーキャップ３３を押すだけで、Ｃｔｒｌ＋Ｓｈｉｆｔの組合キーボタンの機能を実現することができる。
【００１２】
左手でＤｅｌｅｔｅキーボタンを操作して削除機能を実現するために、前記キーボード１００のＥｓｃキーボタンとＦ１キーボタンとの間に１つのキーボタンを設置し、且つ該キーボタンの２つの電気端子を別々に前記Ｄｅｌｅｔｅキーボタンの２つの電気端子に接続して、左手で前記キーボード１００のＥｓｃキーボタンとＦ１キーボタンとの間に設置された前記キーボタンを押すと、削除機能を実現することができる。削除機能を実現するために用いられる前記キーボタンは、ＥｓｃキーボタンとＦ１キーボタンとの間ではなく、前記キーボード１００の他の位置に設置してもよい。
【００１３】
前記キーボード１００において、前記第二キーボタンＫ１を押すと、Ａｌｔ＋Ｔａｂの組合キーボタンの機能を実現することができ、前記第二キーボタンＫ２を押すと、Ｃｔｒｌ＋Ａｌｔ＋Ｄｅｌの組合キーボタンの機能を実現することができ、前記第二キーボタンＫ３を押すと、Ｃｔｒｌ＋Ｓｈｉｆｔの組合キーボタンの機能を実現することができるので、前記キーボード１００を便利に使用することができる。
【００１４】
以上本発明を実施例に基づいて具体的に説明したが、本発明は上述の実施例に限定されるものではなく、その要旨から逸脱しない範囲において、種々変更可能であることは勿論であって、本発明の保護範囲は、以下の特許請求の範囲によって規定される。
【符号の説明】
【００１５】
１０  ハウジング
２０  制御回路
３０  スイッチ回路
４０  ナンバーキーエリア
５０  指示ランプエリア
１００  キーボード
Ｃ１〜Ｃ３  コンデンサー
Ｋ１〜Ｋ３  第二キーボタン
Ｑ１〜Ｑ７  トランジスタ
Ｒ１〜Ｒ１７  レジスター
Ｕ１  マイクロコントローラ
Ｕ１１〜Ｕ１３  インバーター
Ｘ１  水晶発振器
【図１】
2011248868.tif 000003
【図２】
2011248868.tif 000004
【図３】
2011248868.tif 000005